(57)【要約】【課題】  多段式に引き出し可能に構成されたスタッカを展開状態から収納状態に切り換える際に、その収納順序に所定の規則性を与えることでスタッカに力が加えられた際に常に正しく装置本体から脱落できる様にする。【解決手段】    プリンタ１は、収納状態と展開状態とを切り換え可能に設けられるとともに、展開状態となることで記録の行われた被記録媒体を支持可能となるスタッカ５を備えている。スタッカ５は、展開状態においてスタッカ５の基端側を構成するとともにプリンタ１に対して出没自在に設けられるスタッカ基部６と、スタッカ基部６に対して出没自在に設けられる第１引き出し部７と、第１引き出し部７に対して出没自在に設けられる第２引き出し部８とを備えて構成されるとともに、スタッカ基部６のプリンタ１からの進出状態を保持する保持手段を備えている。【選択図】図２
2006001705.tif 000002
【特許請求の範囲】
【請求項１】
被記録媒体に記録を行う記録装置において、収納状態と展開状態とを切り換え可能に設けられるとともに、前記展開状態となることで記録の行われた被記録媒体を支持可能となる被記録媒体スタッカであって、
前記記録装置に対して出没自在に設けられ、前記展開状態において前記被記録媒体スタッカの基端側を構成するスタッカ基部と、
前記スタッカ基部に対して出没自在に設けられる一または二以上の引き出し部と、を備えて構成されるとともに、
前記スタッカ基部の前記記録装置からの進出状態を保持する保持手段を備えている、
ことを特徴とする被記録媒体スタッカ。
【請求項２】
請求項１において、前記保持手段が、前記引き出し部が進出状態から没入状態となることで前記スタッカ基部の保持状態を解除する様に構成されている、
ことを特徴とする被記録媒体スタッカ。
【請求項３】
請求項２において、前記保持手段が、前記引き出し部の出没方向に平行な揺動軸を中心に揺動可能となる様に前記スタッカ基部に設けられるとともに、前記引き出し部が進出状態から没入状態となる際に、前記引き出し部と係合して揺動する様配設されるレバー部材と、
前記記録装置において前記レバー部材と係合可能に設けられるストッパ部と、を備え、
前記引き出し部の進出状態では、前記レバー部材と前記ストッパ部とが係合状態となることで前記スタッカ基部の進出状態が保持され、
前記引き出し部が進出状態から没入状態となると、前記引き出し部が前記レバー部材を揺動させることで前記レバー部材と前記ストッパ部材との係合状態を解除する様に構成されている、
ことを特徴とする被記録媒体スタッカ。
【請求項４】
被記録媒体に記録を行う記録装置において、収納状態と展開状態とを切り換え可能に設けられるとともに、前記展開状態となることで記録の行われた被記録媒体を支持可能となる被記録媒体スタッカであって、
前記記録装置に対して出没自在に設けられ、前記展開状態において前記被記録媒体スタッカの基端側を構成するスタッカ基部と、
前記スタッカ基部に対して出没自在に設けられる一または二以上の引き出し部と、を備えて構成されるとともに、
前記被記録媒体スタッカの最も自由端側を構成する前記引き出し部を前記記録装置に向けて押し込むことで前記被記録媒体スタッカを前記展開状態から前記収納状態へ切り換える際の、前記スタッカ基部及び前記引き出し部の収納順序を規制する規制手段を備えている、
ことを特徴とする被記録媒体スタッカ。
【請求項５】
被記録媒体に記録を行う記録装置であって、請求項１から４のいずれか１項に記載された前記被記録媒体スタッカを備えている、
ことを特徴とする記録装置。
【請求項６】
請求項５において、前記スタッカ基部の出没状態を検出する検出手段を備えている、
ことを特徴とする記録装置。
【請求項７】
被噴射媒体に液体噴射を行う液体噴射装置であって、
収納状態と展開状態とを切り換え可能に設けられるとともに、前記展開状態となることで液体噴射の行われた被噴射媒体を支持可能となる被噴射媒体スタッカを備え、
前記被噴射媒体スタッカが、前記液体噴射装置に対して出没自在に設けられ、前記展開状態において前記被噴射媒体スタッカの基端側を構成するスタッカ基部と、
前記スタッカ基部に対して出没自在に設けられる一または二以上の引き出し部と、を備えて構成されるとともに、
前記スタッカ基部の前記液体噴射装置からの進出状態を保持する保持手段を備えている、
ことを特徴とする液体噴射装置。
【発明の詳細な説明】
【技術分野】
【０００１】
本発明は、被記録媒体に記録を行う記録装置に対し、収納状態と展開状態とを切り換え可能に設けられるとともに、前記展開状態となることで記録の行われた被記録媒体を支持可能となる被記録媒体スタッカおよび、これを備えた記録装置に関する。また、本発明は液体噴射装置に関する。  
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含む意味で用いる。  
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００２】
記録装置或いは液体噴射装置の一例としてのプリンタには、記録が実行されて排出される被記録媒体（例えば、印刷用紙）を支持可能なスタッカが設けられ、当該スタッカに、記録の行われた印刷用紙が順次積重される様に構成されている。  
また、スタッカには、非使用時には設置スペースを小さく、一方で使用時には印刷用紙の大きさに合わせて広い支持面を展開可能な様に、多段式に引き出し可能に構成されたものがある（例えば、特許文献１参照）。  
そして従来、この様に多段式に引き出し可能に構成されたスタッカを、展開状態から収納状態へ切り換える際には、最も自由端側（装置本体から遠い側）の引き出し部を装置本体に向けて押し込むようにすることで、収納順序に特に考慮することなく、収納状態に切り換える様にしていた。
【０００３】
【特許文献１】特開２００２−２４１０２６号公報
【発明の開示】
【発明が解決しようとする課題】
【０００４】
ところで、スタッカは展開状態においては装置前方に突出した状態となる為、上方から強い力を加えられ易く、場合によっては破損を招くことがある。この様な問題を防止する為には、展開状態において強い力を加えられた際に、スタッカが装置本体から脱落する様に構成されていることが望ましい。即ち、スタッカの最も基端側（装置本体側）を構成するスタッカ基部が装置本体から引き出された状態において、スタッカに破損が生じる前に、当該スタッカ基部が装置本体から脱落可能となっていることが望ましい。
【０００５】
しかし、スタッカを展開状態から収納状態に切り換える為に、最も自由端側の引き出し部を装置本体に向けて押し込んだ際に、上記スタッカ基部が先に収納された状態となると、スタッカに強い外力が作用した際にスタッカ基部が装置本体から脱落できずに、結果としてスタッカの破損を招くことになる。
【０００６】
そこで本発明はこの様な状況に鑑みなされたものであり、その目的は、多段式に引き出し可能に構成されたスタッカを展開状態から収納状態に切り換える際に、その収納順序に所定の規則性を与えることでスタッカに強い力が作用した際に常に正しく装置本体から脱落できる様にすることにある。
【課題を解決するための手段】
【０００７】
上記課題を解決する為に、本発明の第１の態様は、被記録媒体に記録を行う記録装置において、収納状態と展開状態とを切り換え可能に設けられるとともに、前記展開状態となることで記録の行われた被記録媒体を支持可能となる被記録媒体スタッカであって、前記記録装置に対して出没自在に設けられ、前記展開状態において前記被記録媒体スタッカの基端側を構成するスタッカ基部と、前記スタッカ基部に対して出没自在に設けられる一または二以上の引き出し部と、を備えて構成されるとともに、前記スタッカ基部の前記記録装置からの進出状態を保持する保持手段を備えていることを特徴とする。  
上記態様によれば、多段式に引き出し可能に構成されたスタッカは、基端側を構成するスタッカ基部の前記記録装置からの進出状態を保持する保持手段を備えているので、当該保持手段によって前記スタッカ基部の前記記録装置からの進出状態が保持され、即ち前記スタッカ基部が前記記録装置内部に収納されずに前記記録装置から脱落可能となる状態が保持されるので、これによって被記録媒体スタッカに強い力が作用した場合においても、破損を招くことなく被記録媒体スタッカを正しく脱落させることが可能となる。
【０００８】
本発明の第２の態様は、上記第１の態様において、前記保持手段が、前記引き出し部が進出状態から没入状態となることで前記スタッカ基部の保持状態を解除する様に構成されていることを特徴とする。  
上記態様によれば、前記保持手段が、前記引き出し部が進出状態から没入状態となることで前記スタッカ基部の保持状態を解除する様に構成されていることから、前記引き出し部を押し込むことで先ず前記引き出し部が先に収納され、そして当該引き出し部が没入状態となるとともに前記スタッカ基部の保持状態が解除されて、更に前記引き出し部を押し込むことで被記録媒体スタッカを収納状態とすることができ、以上によって簡単に前記スタッカ基部の保持状態を解除することができる。
【０００９】
本発明の第３の態様は、上記第２の態様において、前記保持手段が、前記引き出し部の出没方向に平行な揺動軸を中心に揺動可能となる様に前記スタッカ基部に設けられるとともに、前記引き出し部が進出状態から没入状態となる際に、前記引き出し部と係合して揺動する様配設されるレバー部材と、前記記録装置において前記レバー部材と係合可能に設けられるストッパ部と、を備え、前記引き出し部の進出状態では、前記レバー部材と前記ストッパ部とが係合状態となることで前記スタッカ基部の進出状態が保持され、前記引き出し部が進出状態から没入状態となると、前記引き出し部が前記レバー部材を揺動させることで前記レバー部材と前記ストッパ部材との係合状態を解除する様に構成されていることを特徴とする。  
上記態様によれば、前記保持手段が、レバー部材と、ストッパ部とを備えて構成されていることから、この様な簡単な構成によって、省スペース且つ低コストに前記保持手段を構成することができる。
【００１０】
本発明の第４の態様は、被記録媒体に記録を行う記録装置において、収納状態と展開状態とを切り換え可能に設けられるとともに、前記展開状態となることで記録の行われた被記録媒体を支持可能となる被記録媒体スタッカであって、前記記録装置に対して出没自在に設けられ、前記展開状態において前記被記録媒体スタッカの基端側を構成するスタッカ基部と、前記スタッカ基部に対して出没自在に設けられる一または二以上の引き出し部と、を備えて構成されるとともに、前記被記録媒体スタッカの最も自由端側を構成する前記引き出し部を前記記録装置に向けて押し込むことで前記被記録媒体スタッカを前記展開状態から前記収納状態へ切り換える際の、前記スタッカ基部及び前記引き出し部の収納順序を規制する規制手段を備えていることを特徴とする。
【００１１】
本態様によれば、前記被記録媒体スタッカの最も自由端側を構成する前記引き出し部を前記記録装置に向けて押し込むことで前記被記録媒体スタッカを前記展開状態から前記収納状態へ切り換える際の、前記スタッカ基部及び前記引き出し部の収納順序を規制する規制手段を備えているので、意図した順序で前記被記録媒体スタッカを前記展開状態から前記収納状態へ切り換えることができ、操作性や安全性に優れた被記録媒体スタッカを得ることができる。例えば、前記スタッカ基部が一番最後に前記記録装置に収納されるように成すことにより、即ち、前記スタッカ基部が前記記録装置内部に収納されずに前記記録装置から脱落可能となる状態を保持することにより、これによって被記録媒体スタッカに強い力が作用した場合においても、破損を招くことなく被記録媒体スタッカを正しく脱落させることが可能となる。
【００１２】
本発明の第５の態様は、被記録媒体に記録を行う記録装置であって、上記第１から第３の態様のいずれかに記載された前記被記録媒体スタッカを備えていることを特徴とする。  
上記態様によれば、記録装置は上記第１から第４の態様のいずれかに記載された前記被記録媒体スタッカを備えているので、上述した第１から第４の態様のいずれかと同様な作用効果を得ることができる。
【００１３】
本発明の第６の態様に係る記録装置は、上記第５の態様において、前記スタッカ基部の出没状態を検出する検出手段を備えていることを特徴とする。  
上記態様によれば、記録装置は前記スタッカ基部の出没状態を検出する検出手段を備えているので、前記スタッカ基部の出没状態に応じて適切な制御を実行することができる。例えば、前記スタッカ基部が没入状態であれば、これに応じて被記録媒体への記録動作或いは被記録媒体の排出動作を中断することで、排出された被記録媒体が床面に落下したり、紙詰まりの発生を防止することができる。  
また、上述の様に前記スタッカ基部の没入状態を検出することで記録動作を実行しない様に構成すると、前記被記録媒体スタッカが被記録媒体のサイズとの関係において被記録媒体を支持可能な程度に展開された状態にあっても、前記スタッカ基部がある程度収納された状態となってしまうと当該スタッカ基部の没入状態が検出されてしまい、記録動作を実行できない事態が発生する。しかし、上述した第１の態様の作用効果によって、前記スタッカ基部の進出状態が保持されるので、前記検出手段によって前記被記録媒体スタッカの展開状態を正確に検出することができ、ユーザーニーズに応じた適切な制御を実行することができる。
【００１４】
本発明の第７の態様は、被噴射媒体に液体噴射を行う液体噴射装置であって、収納状態と展開状態とを切り換え可能に設けられるとともに、前記展開状態となることで液体噴射の行われた被噴射媒体を支持可能となる被噴射媒体スタッカを備え、前記被噴射媒体スタッカが、前記液体噴射装置に対して出没自在に設けられ、前記展開状態において前記被噴射媒体スタッカの基端側を構成するスタッカ基部と、前記スタッカ基部に対して出没自在に設けられる一または二以上の引き出し部と、を備えて構成されるとともに、前記スタッカ基部の前記液体噴射装置からの進出状態を保持する保持手段を備えていることを特徴とする。
【発明を実施するための最良の形態】
【００１５】
以下、図面を参照しながら本発明の実施の形態について説明する。  
図１及び図２は「記録装置」、「液体噴射装置」の一例としてのインクジェットプリンタ（以下「プリンタ」と言う）１の外観斜視図、図３は本発明に係る「被記録媒体スタッカ」としてのスタッカ５の基端側斜視図、図４は保持手段の斜視図、図５及び図６は検出手段の斜視図、図７乃至図９はスタッカ５の斜視図である。
【００１６】
図１に示す様に、プリンタ１はボックス形の形状を成し、大凡、ビデオテープレコーダー程の大きさに成されていて、テレビラック等へ収納された状態で使用されることを想定して構成されている。外観は図示する様にボックス形のハウジング２の前面にフロントカバー３が設けられて大略構成され、フロントカバー３は、手前側に向けて開いた状態（図示せず）と図示する様に閉じた状態とを回動自在に設けられ、開いた状態では、着脱自在に設けられたインクカートリッジ（図示せず）の交換作業を行うことが可能となる。プリンタ１の前面右側には表示部４が設けられ、当該表示部４に動作ステータスや印刷設定情報等が表示される。
【００１７】
プリンタ１の底部には、スタッカ５及び給紙トレイ（図示せず）が設けられている。スタッカ５は多段式に引き出し可能に構成され、収納状態（図１に示す状態）と、展開状態（図２に示す状態）とを切り換え可能となっている。給紙トレイは着脱自在に設けられ、手前側に引き出すことにより、「被記録媒体」「被噴射媒体」の一例としての印刷用紙をセットすることが可能となる。  
そして上記の構成によって、プリンタ１は装置底部から印刷用紙を給紙し、図示しないインクジェット記録ヘッドによって記録を実行し、プリンタ１前方側へ向けて記録の行われた印刷用紙を排出する。
【００１８】
続いて、図３乃至図９を参照しながら、スタッカ５について詳説する。スタッカ５は、図１及び図２を参照しながら説明した様にプリンタ１において、収納状態（図１）と展開状態（図２）とを切り換え可能に設けられるとともに、前記展開状態となることで記録の行われた印刷用紙を支持可能となる。
【００１９】
より詳しくは、スタッカ５は展開状態において最も基端側（プリンタ１装置本体に近い側）を構成するとともにプリンタ１に対して出没自在に設けられるスタッカ基部６と、当該スタッカ基部６（及びプリンタ１）に対して出没自在に設けられる第１引き出し部７と、当該第１引き出し部７（及びスタッカ基部６、プリンタ１）に対して出没自在に設けられる第２引き出し部８と、を備えて構成され、つまり多段式に引き出し可能に構成されている。
【００２０】
尚、スタッカ５の「収納状態」とは、図１に示す様にスタッカ５の構成要素であるスタッカ基部６、第１引き出し部７、第２引き出し部８、の全てが没入状態（収納された状態）となった状態を言い、「展開状態」とは、図２に示す様にスタッカ５の構成要素であるスタッカ基部６、第１引き出し部７、第２引き出し部８、の全てが進出状態となった状態の他に、例えば図８に示す様に一部の構成要素（図８ではスタッカ基部６）が進出状態となることで、所定の用紙支持面が形成された状態をも含むものとする。
【００２１】
図３は、スタッカ基部６の取り付け部付近の斜視図である。図示する様に、スタッカ基部６の両側端側にはスタッカ基部６を支持する支持部１０、１１が配設され、当該支持部１０、１１によってスタッカ基部６はプリンタ１の前方側及び後方側に向けてスライド可能に支持される。また、スタッカ基部６の上面を覆う様なプレート形状を成すガイド板９と、スタッカ基部６の底部を覆う様なプレート形状を成すガイド板１８（図５及び図６参照）とが設けられ、スタッカ基部６はこの様に支持部１０、１１及びガイド板９、１８によって抱持される構成によって、安定したスライド動作が可能となる様に設けられている。
【００２２】
スタッカ基部６が進出した状態（図３の状態）では、スタッカ基部６の後方端部６ａとガイド板９の前方端部９ａとに僅かな隙間が形成されるとともに、当該進出状態においてスタッカ基部６に上方から強い力が加えられると、スタッカ５の破損を招く前に、スタッカ基部６が支持部１０、１１から脱落する様に構成されている。
【００２３】
支持部１０、１１及びガイド板９の背面側には、図６に示す様にスタッカ基部６の出没状態を検出する検出手段としてのセンサ１７が設けられている。センサ１７は回動自在なレバー１７ａを有し、当該レバー１７ａの回動動作による信号のオンオフを図示しないプリンタ１の制御部へと送信し、これにより、プリンタ１の制御部はスタッカ基部６の出没状態を検出することが可能となっている。尚、図６において符号１７ａ’及び仮想線で示すレバーは、レバー１７ａが回動してセンサ１７がオンとなった状態を示している。
【００２４】
このセンサ１７は、図示する様に支持部１１の側面に、レバー１７ａが下方に突出する様に取り付けられていて、更に支持部１１の底部には回動部材１６が、スタッカ基部６の用紙支持面と直交する回動軸１６ａを中心に回動自在に取り付けられている。回動部材１６は回動軸１６ａと直交する方向に延びる係合端１６ｂ、１６ｃを有し、図示しない付勢手段によって、図５に示す様に係合端１６ｂ、１６ｃを通る直線がスタッカ基部６の出没方向と直交する状態となる様に付勢された状態に設けられている。
【００２５】
そして、図５に示す様にスタッカ基部６が進出状態となると、上記付勢手段の付勢力によって係合端１６ｃがセンサ１７のレバー１７ａと係合し、これによってセンサ１７がオンとなってスタッカ基部６の進出状態が検出される。一方、スタッカ基部６が没入状態となると、図６に示す様にスタッカ基部５が回動部材１６の係合端１６ｂと係合し、これによって回動部材１６が回動し、これによって係合端１６ｃとセンサ１７のレバー１７ａとの係合状態が解除され、センサ１７がオフとなってスタッカ基部６の没入状態が検出される。尚、本実施形態では、スタッカ基部６が僅かに収納された状態で、スタッカ基部６の没入状態が検出される様になっている。
【００２６】
続いて、スタッカ基部６の進出状態を保持する保持手段について詳説する。図１に示すスタッカ５の収納状態から、図２に示すスタッカ５の展開状態とするには、第２引き出し部８を把持して当該第２引き出し部８をプリンタ１前方側に引き出すことで、スタッカ基部６がプリンタ１から進出し、第１引き出し部７がスタッカ基部６から、第２引き出し部８が第１引き出し部７からそれぞれ進出する。逆に、図２に示すスタッカ５の展開状態から、図１に示すスタッカ５の収納状態とするには、第２引き出し部８に力を加えて、当該第２引き出し部８をプリンタ１内部に向けて押し込むことで、第２引き出し部８が第１引き出し部７に収納され、第１引き出し部７がスタッカ基部６に収納され、スタッカ基部６がプリンタ１に収納される。
【００２７】
ここで、スタッカ５を展開状態から収納状態とする際に、その収納順序に所定の規則性が無いと、例えば第１引き出し部７、第２引き出し部８が進出状態のまま、スタッカ基部６が没入状態となる場合もある。この様な状態においては、第１引き出し部７、第２引き出し部８が進出状態の為、上方から力が加えられ易いが、スタッカ基部６が先に没入状態となっている為にスタッカ基部６が支持部１０、１１から脱落することができず（図３に示す様にスタッカ基部６の後方端部６ａとガイド板９の前方端部９ａとの間に隙間が形成されず）、スタッカ５の破損を招く虞もある。
【００２８】
そこで、収納順序に所定の規則性を持たせる、即ち、第２引き出し部８を押し込んでも、先にスタッカ基部６が没入状態とならず、第２引き出し部８が第１引き出し部７に収納され、第１引き出し部７がスタッカ基部６に収納された後に、或いは、第１引き出し部７がスタッカ基部６に収納され、第２引き出し部８が第１引き出し部７に収納された後に、スタッカ基部６がプリンタ１に収納されて没入状態となる様に、スタッカ基部６の進出状態を保持する保持手段が設けられている。
【００２９】
この保持手段は、図４に示す様にレバー１２と、ストッパ１５とを備えて構成される。レバー１２は、スタッカ基部６において当該スタッカ基部６の出没方向と平行な軸６ｂを中心にして回動可能に設けられ、その自重によって先端１２ａが下方に垂下する様に配設されている。一方で、プリンタ１本体側においてスタッカ基部６の底部と対向する位置に設けられた支持部材１４には、レバー１４に向けて突出する形状を成すストッパ１５が、レバー１２の先端１２ａと係合可能に形成されていて、これにより、図４（Ａ）に示す様にレバー１２とストッパ１５との係合状態が形成されてスタッカ基部６の進出状態が保持される。
【００３０】
一方、図４（Ｂ）に示す様に第１引き出し部７の先端７ａは傾斜面に形成されていて、レバー１２は当該第１引き出し部７の先端７ａと係合可能に配置されている。従って、第１引き出し部７が進出状態から没入状態となると、これに伴って先端７ａがレバー１２を押し退けることでレバー１２が回動し、レバー１２とストッパ１５との係合状態が解除される。即ち、スタッカ基部６の保持状態が解除される。
【００３１】
以上により、多段式に引き出し可能に構成されたスタッカ５は、基端側を構成するスタッカ基部６のプリンタ１からの進出状態を保持する保持手段を備えているので、当該保持手段によってスタッカ５の展開状態において第２引き出し部８を押し込んでも、直ぐにはスタッカ基部６が没入状態とならず、即ちスタッカ基部６がプリンタ１内部に収納されずにプリンタ１から脱落可能となる状態が保持される。そして、第１引き出し部７がスタッカ基部６に収納されることで上記保持状態が解除されて、その後スタッカ基部６が一番最後に収納されるので、これによってスタッカ５に強い力が作用した場合においても、スタッカ５の破損を招くことなく、常にスタッカ５を正しく脱落させることが可能となる。
【００３２】
また、上記保持手段が、第１引き出し部７が進出状態から没入状態となることでスタッカ基部６の保持状態を解除する様に構成されていることから、展開状態（図７）から第２引き出し部８を押し込むことで第２引き出し部８及び第１引き出し部７が先に収納され（図８）、そして第１引き出し部７が没入状態となるとともにスタッカ基部６の保持状態が解除されて、更に第２引き出し部８を押し込むことでスタッカ５を収納状態とすることができ（図９）、以上によって第２引き出し部８を押し込むという単一の動作によって簡単にスタッカ基部６の保持状態を解除することができるとともに、スタッカ５を収納状態とすることができる。
【００３３】
加えて、プリンタ１はスタッカ基部６の出没状態を検出する検出手段としてのセンサ１７を備えているので、スタッカ基部６の出没状態に応じて適切な制御を実行することができる。例えば、スタッカ基部６が没入状態であれば、これに応じて印刷用紙への記録動作或いは印刷用紙の排出動作を中断することで、排出された印刷用紙が床面に落下したり、紙詰まりの発生を防止することができる。  
また、この様にスタッカ基部６の没入状態を検出することで記録動作を実行しない様に構成すると、スタッカ５が印刷用紙のサイズとの関係において印刷用紙を支持可能な程度に展開された状態（例えば、第１引き出し部７及び第２引き出し部８が進出状態にあるとともに、スタッカ基部６が一定量収納された状態）にあっても、スタッカ基部６がある程度収納された状態となってしまうと、当該スタッカ基部６の没入状態が検出されてしまい、記録動作を実行できない事態が発生する。しかし、スタッカ基部６の進出状態を保持する保持手段により、スタッカ基部６の進出状態が保持されるので、センサ１７によってスタッカ５の展開状態を正確に検出することができ、ユーザーニーズに応じた適切な制御を実行することができる。
【００３４】
尚、図３において符号１３は保持手段を構成するレバーであり、即ち本実施形態においては上記保持手段を構成するレバーとストッパは、スタッカ基部６の幅方向において複数箇所（本実施形態では、２箇所）配設され、これによってスタッカ基部６を進出状態に保持する際に、スタッカ基部６が傾くことなく真っ直ぐに保持される。
【００３５】
また、本実施形態においてはスタッカ５の最も基端側を構成するスタッカ基部５に、２つの引き出し部即ち第１引き出し部７及び第２引き出し部８を収納する構成としたが、引き出し部の数はこれに限定されるものではなく、より多数の引き出し部を備えても良いし、第１の引き出し部７のみを備えるように構成しても構わない。また、スタッカ基部６の進出状態を保持する保持手段の形態についても本実施形態に限られず、スタッカ基部６の進出状態を保持できるものであればどの様な構成であっても構わない。
【００３６】
尚、上記保持手段は、スタッカ５の展開状態において最も自由端側を構成する第２引き出し部８をプリンタ１に向けて押し込むことでスタッカ５を収納状態とする際の、スタッカ基部６、第１引き出し部７、第２引き出し部８の収納順序を規制する規制手段としての機能を発揮する。即ち、意図した順序でスタッカ５を展開状態から収納状態へ切り換えることができ、これによって操作性や安全性に優れたスタッカを得ることができる。その一例として、本実施形態では、第２引き出し部８をプリンタ１に向けて押し込んだ際に、スタッカ基部６が一番最後にプリンタ１に収納される（没入状態となる）ように成すことにより、即ち、スタッカ基部６がプリンタ１内部に収納されずにプリンタ１から脱落可能となる状態を保持することにより、これによってスタッカ５に強い外力が作用した場合においても、破損を招くことなくスタッカ５を正しく脱落させることが可能となっている。本実施形態ではこの様にスタッカ基部６が一番最後に収納される様に構成したが、その目的によってはこれに限られるものではなく、例えば第２引き出し部８或いは第１引き出し部７が一番最後に収納される（没入状態となる）様に構成することもできる。
【図面の簡単な説明】
【００３７】
【図１】本発明に係るプリンタの外観斜視図。
【図２】本発明に係るプリンタの外観斜視図。
【図３】本発明に係るスタッカの基端側斜視図。
【図４】スタッカ基部を進出状態に保持する保持手段の斜視図。
【図５】スタッカ基部の出没状態を検出する検出手段の斜視図。
【図６】スタッカ基部の出没状態を検出する検出手段の斜視図。
【図７】本発明に係るスタッカの斜視図。
【図８】本発明に係るスタッカの斜視図。
【図９】本発明に係るスタッカの斜視図。
【符号の説明】
【００３８】
１  インクジェットプリンタ、２  ハウジング、３  フロントカバー、４  表示部、５  スタッカ、６  スタッカ基部、７  第１引き出し部、８  第２引き出し部、９  ガイド板、１０、１１  支持部、１２、１３  レバー、１４  支持部材、１５  ストッパ、１６  回動部材、１７  センサ、１８  ガイド板
【図１】
2006001705.tif 000003
【図２】
2006001705.tif 000004
【図３】
2006001705.tif 000005
【図４】
2006001705.tif 000006
【図５】
2006001705.tif 000007
【図６】
2006001705.tif 000008
【図７】
2006001705.tif 000009
【図８】
2006001705.tif 000010
【図９】
2006001705.tif 000011